(57)【要約】【課題】ハイパワーで吸引する掃除を可能としながら、ユーザは重量がある構成を手で持つこと無く清掃作業を可能とする。【解決手段】集塵機１０は、集塵機本体１１と、連結ホース部４０と、操作部５０と、ベルト具６０とを有する。集塵機本体１１は、吸引風を発生して塵埃を集める機能を有する。集塵機本体１１は、ハウジング１２と、駆動部と、集塵室と、バッテリ装着部とを有する。この集塵機本体１１には、ユーザが背負うためのベルト具６０が取り付けられる。操作部５０は、集塵機本体１１から外部コード５１により繋がれる操作部本体を有する。操作部本体には、点灯可能にされるＬＥＤが設けられている。【選択図】図１
2017018567.tif 000002
【特許請求の範囲】
【請求項１】
モータと該モータの駆動により塵埃が集められる集塵部を有するハウジングと、
スライド装着式の電動工具用バッテリを保持可能に前記ハウジングに設けられるバッテリ保持部と、
前記ハウジングを背負うためにユーザの両肩それぞれに掛けられる肩ベルトと、を有する、背負い式の集塵機。
【請求項２】
請求項１に記載の背負い式の集塵機において、
前記バッテリ保持部は、前記ハウジングの下方に配置されている、背負い式の集塵機。
【請求項３】
請求項１に記載の背負い式の集塵機において、
前記ハウジングの下部には、排気風を下方に指向させる排気口が設けられている、背負い式の集塵機。
【請求項４】
請求項１に記載の背負い式の集塵機において、
前記モータを駆動するためのスイッチを有し、
前記スイッチからはコードが延びており、
前記コードは、前記ハウジングの下部に接続されている、背負い式の集塵機。
【請求項５】
請求項１に記載の背負い式の集塵機において、
前記ハウジングは、背負ったユーザの背中側と近くなる背面側と、背負ったユーザの背中側と遠くなる正面側とを有しており、
前記電動工具用バッテリは、前記ハウジングの正面側から背面側へとスライドすることにより、バッテリ保持部に装着される、背負い式の集塵機。
【請求項６】
請求項１に記載の背負い式の集塵機において、
塵埃を含めて外気を吸気可能とする吸気口は、前記ハウジングの上部に設定されており、
前記モータを制御するコントローラは、該モータと同じ高さ位置で前記ハウジングの内部に配置されている、背負い式の集塵機。
【請求項７】
バッテリと、
前記バッテリから供給される電力により駆動するモータと、
前記バッテリおよび前記モータを背負うためのベルトと、
前記バッテリから供給される電力により点灯するライトと、を有する、背負い装置。
【請求項８】
集塵機本体とホース部とを有し、
前記ホース部は、手握り可能なハンドルパイプ部を有し、
前記ハンドルパイプ部の周面には、引っ掛け可能なフックが設けられている、集塵機。
【請求項９】
請求項８に記載の集塵機において、
前記フックは、吸引口側を下向きとさせるように引っ掛け可能に形成されている、集塵機。
【請求項１０】
請求項９に記載の集塵機において、
前記ハンドルパイプ部は、湾曲するパイプ形に形成され、
前記フックは、湾曲の外周側かつ吸引口側に設けられている、集塵機。
【請求項１１】
集塵機本体とホース部とを有し、
前記ホース部は、手握り可能なハンドルパイプ部を有し、
前記ハンドルパイプ部の周面には、該周面の外径を拡げた拡径部が設けられている、集塵機。
【請求項１２】
請求項１１に記載の集塵機において、
前記ハンドルパイプ部は、湾曲するパイプ形に形成され、
前記拡径部は、吸引口側に設けられている、集塵機。
【請求項１３】
請求項１２に記載の集塵機において、
前記拡径部は、湾曲の外周側部分と湾曲の内周側部分の外径を拡げて形成されている、集塵機。
【請求項１４】
集塵機本体とホース部とを有し、
前記ホース部は、手握り可能なハンドルパイプ部を有し、
前記ハンドルパイプ部の周面には、該ハンドルパイプ部を手で握った場合に指の腹を当てることが可能な平面部が設けられている、集塵機。
【請求項１５】
請求項１４に記載の集塵機において、
前記ハンドルパイプ部は、湾曲するパイプ形に形成され、
前記平面部は、湾曲径方向と直交する前記ハンドルパイプ部の両周面に対をなして設けられている、集塵機。
【発明の詳細な説明】
【技術分野】
【０００１】
本発明は、清掃に利用される集塵機に関する。
【背景技術】
【０００２】
一般に掃除機として、清掃に利用される集塵機が知られている（例えば、特許文献１参照）。このような集塵機は、吸引風を発生する集塵機本体と、集塵機本体に連結され且つ先端にノズル部が連結される連結ホース部と、を有する。集塵機本体には、吸引風を発生するモータおよびファンが内蔵される。また、集塵機本体には、吸引された塵埃を溜め込むための集塵室が設けられている。このような集塵機本体の重量は、内蔵されるモータや集塵室により重たくなっている。このため、一般的に利用される集塵機は、集塵機本体を引き摺って動かせるように集塵機本体の下部にキャスタが取り付けられている。
【先行技術文献】
【特許文献】
【０００３】
【特許文献１】特開２０１４−１５５８６２号公報
【発明の概要】
【発明が解決しようとする課題】
【０００４】
ところで、階段を掃除する場合、集塵機本体を置くようなスペースは存在しない。このため、集塵機本体を手で持つ必要があり、集塵機本体の軽量化を図ろうとしていた。しかしながら、このような軽量化は集塵機としての吸引力を落としかねないものであった。
【０００５】
本発明は、このような事情に鑑みなされたものであって、本発明が解決しようとする課題は、清掃に利用される集塵機において、ハイパワーで吸引する掃除を可能としながら、ユーザは重量がある構成を手で持つこと無く清掃作業を可能とすることにある。
【課題を解決するための手段】
【０００６】
上記した課題を解決するにあたって本発明に係る発明は次の手段をとる。すなわち、本発明の第１の発明は、モータと該モータの駆動により塵埃が集められる集塵部を有するハウジングと、スライド装着式の電動工具用バッテリを保持可能に前記ハウジングに設けられるバッテリ保持部と、前記ハウジングを背負うためにユーザの両肩それぞれに掛けられる肩ベルトと、を有する、背負い式の集塵機、という構成である。この第１の発明によれば、背負い式の集塵機という構成であるので、ハイパワーモータを選択してハイパワーで吸引する掃除を可能としながら、ユーザは重量がある構成を手で持つこと無く清掃作業を可能とする。
【０００７】
本発明の第２の発明は、前記第１の発明に係る背負い式の集塵機において、前記バッテリ保持部は、前記ハウジングの下方に配置されている、という構成である。本発明の第３の発明は、前記第１の発明に係る背負い式の集塵機において、前記ハウジングの下部には、排気風を下方に指向させる排気口が設けられている、という構成である。本発明の第４の発明は、前記第１の発明に係る背負い式の集塵機において、前記モータを駆動するためのスイッチを有し、前記スイッチからはコードが延びており、前記コードは、前記ハウジングの下部に接続されている、という構成である。
【０００８】
本発明の第５の発明は、前記第１の発明に係る背負い式の集塵機において、前記ハウジングは、背負ったユーザの背中側と近くなる背面側と、背負ったユーザの背中側と遠くなる正面側とを有しており、前記電動工具用バッテリは、前記ハウジングの正面側から背面側へとスライドすることにより、バッテリ保持部に装着される、という構成である。本発明の第６の発明は、前記第１の発明に係る背負い式の集塵機において、塵埃を含めて外気を吸気可能とする吸気口は、前記ハウジングの上部に設定されており、前記モータを制御するコントローラは、該モータと同じ高さ位置で前記ハウジングの内部に配置されている、という構成である。
【０００９】
本発明の第７の発明は、バッテリと、前記バッテリから供給される電力により駆動するモータと、前記バッテリおよび前記モータを背負うためのベルトと、前記バッテリから供給される電力により点灯するライトと、を有する、背負い装置、という構成である。
【００１０】
本発明の第８の発明は、集塵機本体とホース部とを有し、前記ホース部は、手握り可能なハンドルパイプ部を有し、前記ハンドルパイプ部の周面には、引っ掛け可能なフックが設けられている、集塵機、という構成である。この第８の発明によれば、フックによりホース部を引っ掛けて固定しておくことができる。これによって、ホース部を手で持ちたくない場合や不使用時保管の場合などに、ホース部を固定して配置させることができて、ユーザにとって便利となる。
【００１１】
本発明の第９の発明は、前記第８の発明に係る集塵機において、前記フックは、吸引口側を下向きとさせるように引っ掛け可能に形成されている、という構成である。この第９の発明によれば、フックは吸引口側を下向きとさせるように引っ掛けることができるので、汚れ易い吸引口側を下向きに配置させておくことができて、衛生面で有利となる。
【００１２】
本発明の第１０の発明は、前記第９の発明に係る集塵機において、前記ハンドルパイプ部は、湾曲するパイプ形に形成され、前記フックは、湾曲の外周側かつ吸引口側に設けられている、という構成である。この第１０の発明によれば、湾曲するパイプ形に形成されているので、湾曲によりユーザに握り易さを確保することができる。また、フックは湾曲の外周側かつ吸引口側に設けられているので、例えばユーザの腰ベルトに引っ掛けた場合に、吸引口側を下向きにさせながら接続ホースを邪魔とならないように体から離すよう配置させておくことができる。
【００１３】
本発明の第１１の発明は、集塵機本体とホース部とを有し、前記ホース部は、手握り可能なハンドルパイプ部を有し、前記ハンドルパイプ部の周面には、該周面の外径を拡げた拡径部が設けられている、集塵機、という構成である。この第１１の発明によれば、ハンドルパイプ部の周面には周面の外径が拡げられた拡径部が設けられているので、ユーザが手で握った場合に拡径部にて指を止めることができる。これによって、ユーザにとってハンドルパイプ部が握り易くなる。
【００１４】
本発明の第１２の発明は、前記第１１の発明に係る集塵機において、前記ハンドルパイプ部は、湾曲するパイプ形に形成され、前記拡径部は、吸引口側に設けられている、という構成である。この第１２の発明によれば、拡径部は吸引口側に設けられているので、握って吸引口側の向きを変える際の掌や指の止まりが良くなり、掃除する際の操作性を高めることができる。
【００１５】
本発明の第１３の発明は、前記第１２の発明に係る集塵機において、前記拡径部は、湾曲の外周側部分と湾曲の内周側部分の外径を拡げて形成されている、という構成である。この第１３の発明によれば、拡径部の外径を拡がり部分が掌位置と人差し指位置で当たるので、手で握った際の感触を高める。
【００１６】
本発明の第１４の発明は、集塵機本体とホース部とを有し、前記ホース部は、手握り可能なハンドルパイプ部を有し、前記ハンドルパイプ部の周面には、該ハンドルパイプ部を手で握った場合に指の腹を当てることが可能な平面部が設けられている、集塵機、という構成である。この第１４の発明によれば、ユーザは平面部に指の腹を当てて持つことができ、様々なユーザの握り方にも対応した握り易さを確保することができる。
【００１７】
本発明の第１５の発明は、前記第１４の発明に係る集塵機において、前記ハンドルパイプ部は、湾曲するパイプ形に形成され、前記平面部は、湾曲径方向と直交する前記ハンドルパイプ部の両周面に対をなして設けられている、という構成である。この第１５の発明によれば、ユーザが湾曲の外周側に掌を位置させて握った場合に、各指の止まりが良くなる。
【図面の簡単な説明】
【００１８】
【図１】ユーザが背負った集塵機の側面視を示す側面図である。
【図２】ユーザが背負った集塵機の正面斜視を示す斜視図である。
【図３】ユーザが背負った集塵機の正面を示す後面図である。
【図４】ユーザが背負った集塵機の上面を示す上面図である。
【図５】ユーザが背負った集塵機の下面を示す下面図である。
【図６】肩ベルトの背当たり部分を示す背面図である。
【図７】集塵機本体の正面図である。
【図８】集塵機本体の左側面図である。
【図９】集塵機本体の背面図である。
【図１０】図７における集塵機本体の(X)-(X)断面矢視図である。
【図１１】図８における集塵機本体の(XI)-(XI)断面矢視図である。
【図１２】集塵機本体の下面斜視図である。
【図１３】電動工具用バッテリが取り外された集塵機本体の下面斜視図である。
【図１４】連結ホースの左側面図である。
【図１５】ハンドルパイプの前面斜視図である。
【図１６】連結ノズルを腰ベルトに掛止した集塵機の正面図である。
【図１７】操作部の上面斜視図である。
【図１８】操作部の上面図である。
【図１９】操作部の左側面図である。
【図２０】操作部の下面図である。
【図２１】操作部の前面図である。
【図２２】ハンドルパイプの側面図である。
【図２３】ハンドルパイプの上面図である。
【図２４】ハンドルパイプの吸引口側の正面図である。
【図２５】図２２における(XXV)-(XXV)断面矢視を示す断面図である。
【図２６】図２２における(XXVI)-(XXVI)断面矢視を示す断面図である。
【図２７】図２２における(XXVII)-(XXVII)断面矢視を示す断面図である。
【図２８】図２２における(XXVIII)-(XXVIII)断面矢視を示す断面図である。
【図２９】図２３における(XXIX)-(XXIX)断面矢視を示す断面図である。
【図３０】図２６における丸抜き部分(XXX)の拡大断面図である。
【図３１】図２９における丸抜き部分(XXXI)の拡大断面図である。
【図３２】ハンドルパイプを手で握った場合の一の例を示す側面図である。
【図３３】ハンドルパイプを手で握った場合の他の例を示す断面図である。
【発明を実施するための形態】
【００１９】
以下、本発明に係る集塵機を実施するための実施の形態について図面を参照しながら説明する。図１〜図６は背負い式の集塵機１０を図示している。図１は左側面図であり、図２は正面斜視図であり、図３は正面図である。また、図４は上面図であり、図５は下面図であり、図６は肩ベルトの背当たり部分を示す背面図である。図示される符号１０は、一般に掃除機として清掃に利用される集塵機である。図７〜図１３は、集塵機本体１１を図示している。図７は正面図であり、図８は左側面図であり、図９は背面図である。また、図１０は図７の(X)-(X)断面矢視図であり、図１１は図８の(XI)-(XI)断面矢視図である。また、図１２は電動工具用バッテリ９０が装着された下面斜視図であり、図１３は電動工具用バッテリ９０が取り外された集塵機本体１１の下面斜視図である。以下、集塵機１０を説明するにあたっては、図面記載の方向に基づいて説明する。
【００２０】
集塵機１０は、概略、集塵機本体１１と、連結ホース部４０と、操作部５０と、ベルト具６０とを有する。図２以降では、図面の見易さから連結ホース部４０や操作部５０に関して図示省略することがある。図示符号Ｕは、集塵機本体１１を背負うユーザである。集塵機本体１１は、吸引風を発生して塵埃を集める機能を有する。集塵機本体１１は、概略、ハウジング１２と、駆動部２１と、集塵室３０と、バッテリ装着部３５とを有する。ハウジング１２は、背面側ハウジング１２１と正面側ハウジング１２２を合体させて内部中空に形成される。ハウジング１２の下側略半分は、その内部中空の範囲に駆動部２１が装置されている。ハウジング１２の上側略半分は、その内部中空の範囲を集塵室３０として設定している。なお、集塵機本体１１は、本発明に係る背負い装置に相当する。また、集塵機本体１１は、背負ったユーザＵの背中側と近くなる背面側と、背負ったユーザＵの背中側と遠くなる正面側とを有している。
【００２１】
中空の集塵室３０には図示省略した集塵バッグが配置可能にされている。つまり、集塵室３０は、駆動部２１により発生された吸引風によって塵埃が集められる空間として設定される。ちなみに、集塵室３０は、本発明に係る集塵部に相当する。この集塵室３０の上部に位置するハウジング１２の上端には、吸気口１５が設けられている。吸気口１５は、上面視略円形に形成されて内部の集塵室３０と連通している。吸気口１５には、後に説明する連結ホース部４０を連結可能と連結フランジ１５１が設けられている。この吸気口１５は、集塵室３０に向け、塵埃を含めて外気を吸気可能とするハウジング１２の開口部である。また、ハウジング１２の下部には、排気スリット１９が設けられている。排気スリット１９は、集塵機本体１１の正面に向けられた第１排気スリット１９１と、装着された電動工具用バッテリ９０の間に向けられた第２排気スリット１９２との２種類で構成される。この排気スリット１９は、本発明に係る排気口に相当し、排気風を下向きに吹き出させるように設定される。つまり、排気スリット１９は、排気風を下方に指向させている。
【００２２】
駆動部２１は、概略、ブラシレスモータ２３と、吸引ファン２５と、コントローラ２７とを有する。ブラシレスモータ２３は、ハウジング１２の下側略半分の中央位置にてハウジング１２に支持されている。ブラシレスモータ２３は、回転駆動軸２４を回転駆動させるＤＣブラシレスモータにて構成される。回転駆動軸２４は、左右中心位置にて上下方向に延びている。回転駆動軸２４には、吸引ファン２５が取り付けられている。吸引ファン２５は、回転駆動軸２４の回転駆動を受けて回転して吸引風を発生させる。吸引ファン２５は、遠心式ファンにて構成される。つまり、吸引ファン２５は、上側の集塵室３０から回転駆動軸２４の軸方向に吸気し、回転駆動軸２４の径方向外周側へ排気する。ブラシレスモータ２３には、装着された電動工具用バッテリ９０からコントローラ２７を通じて電力が供給される。コントローラ２７は、ブラシレスモータ２３の左側に配置されており、上側に向かうにしたがって左側に傾くようにハウジング１２に支持されている。
【００２３】
吸引ファン２５により発生された吸引風は、上記した集塵室３０を負圧にする。負圧となった集塵室３０は、吸気口１５に連結された連結ホース部４０を通じて外気を吸引する。この外気の吸引の際に、集塵機本体１１は連結ホース部４０を通じて塵埃などのゴミを吸引する。なお、吸引ファン２５により発生された吸引風は、ブラシレスモータ２３を通過し、上記した排気スリット１９（第１排気スリット１９１、第２排気スリット１９２）を通じてハウジング１２の外部に排気される。なお、ハウジング１２の外郭形状には、正面視した場合に人間の上半身を彷彿するようなデザインが採用されている。すなわち、ハウジング１２の上側略半分は略直方体形状に形成される。これに対し、ハウジング１２の下側略半分の正面範囲には、僅かに凹まされた正面凹形部１７が設けられている。また、ハウジング１２の下側略半分の右範囲および左範囲には、右凹形部１８１および左凹形部１８２が設けられている。
【００２４】
ハウジング１２の上側略半分の正面部分には、集塵室３０を開閉可能とする開閉カバー１３が取り付けられている。開閉カバー１３の下側縁１３１は、ハウジング１２に支持される回転軸によりヒンジ結合されている。開閉カバー１３の上側縁１３２には、係止フック構造１４が設けられている。係止フック構造１４は、開閉カバー１３に対して揺動可能に支持される係止フック１４１と、係止フック１４１が係止される雌フック部１４２とを有する。雌フック部１４２は、ハウジング１２の上端近くに設けられている。雌フック部１４２に係止フック１４１が係止されると、集塵室３０の開閉カバー１３は閉じた状態で保持される。
【００２５】
図１０および図１１に示すように、連結フランジ１５１は、背面側に突出される凸部１５２が設けられている。この凸部１５２により、背面側ハウジング１２１と正面側ハウジング１２２とを組み付けるに際しての連結フランジ１５１の組付け違いを防止することができる。ブラシレスモータ２３は、左右方向に分割されるモータケース２３１に収容されている。図示省略するモータケース２３１の左右の内周面には、互いに凹凸で嵌合する嵌合面が設けられている。また、図示省略するブラシレスモータ２３のステータの外周面には、相手に対して凹凸で嵌合する嵌合部が設けられている。この嵌合部は、モータケース２３１に対しての凹凸の嵌合関係により、ブラシレスモータ２３のステータの上下方向位置および周方向位置を決めるのに役立たせている。
【００２６】
モータケース２３１は、上方の２つの螺子止め部２３２と下方の２つの螺子止め部２３３とにより締め付け固定されている。モータケース２３１には、上下方向に延びるように螺子２３４が螺合されている。この螺子２３４は、ファンガイド２５１を固定する。すなわち、ファンガイド２５１とハウジング１２との間には、円環状の第１ゴム部材２５２が配置されている。この第１ゴム部材２５２により、ファンガイド２５１からハウジング１２に向けた、ブラシレスモータ２３または吸引ファン２５の回転振動の伝達を抑えることができる。また、モータケース２３１の下部とハウジング１２との間にも、円環状の第２ゴム部材２５３が配置されている。この第２ゴム部材２５３により、モータケース２３１からハウジング１２に向けた、ブラシレスモータ２３または吸引ファン２５の回転振動の伝達を抑えることができる。
【００２７】
モータケース２３１の正面側には、第１防音部材２８１が配置されている。また、モータケース２３１の背面側には、第２防音部材２８２が配置されている。これらの第１防音部材２８１と第２防音部材２８２とは、音を吸収する性質と音を遮蔽する性質との双方を有する。具体的には、これらの第１防音部材２８１と第２防音部材２８２とは、音を吸着する性質を有した発泡材料を成形することにより形成されている。また、これらの第１防音部材２８１と第２防音部材２８２とは、ブラシレスモータ２３または吸引ファン２５により生ずる音を、ハウジング１２外部に漏れ難いように音を遮蔽している。モータケース２３１の下方の正面側には、第１フィルタ部材２８３が配置されている。また、モータケース２３１の下方の背面側には、第２フィルタ部材２８４が配置されている。これらの第１フィルタ部材２８３と第２フィルタ部材２８４とは、排気風を濾過して綺麗な排気風とすることができる。なお、これらの第１フィルタ部材２８３と第２フィルタ部材２８４とは、ブラシレスモータ２３または吸引ファン２５で発生した音を、外部へと漏れにくく音を遮蔽する作用も有する。
【００２８】
背面側ハウジング１２１と正面側ハウジング１２２とは、図示省略する螺子部材により一体に螺子締結されている。この螺子部材は、前後方向に延びるように配置されている。集塵室３０の下方にはフィルタ１６２が配置されている。また、開閉カバー１３により開け閉めされる開口部１６の開口周縁には、パッキン１６１が取り付けられている。このパッキン１６１は、閉じている際の開閉カバー１３とシールする。つまり、パッキン１６１は、集塵室３０内部の気密性を高めている。ブラシレスモータ２３への電力供給は、コントローラ２７を介して行われている。コントローラ２７は、コントローラケース２７１と、コントローラケース２７１に収容される基板２７２とを有する。基板２７２には、マイコンと６つのＦＥＴ（Field effect transistor）や、コンデンサ２７３が設けられている。基板２７２は、コントローラケース２７１に収容された状態で樹脂の充填剤により一体にモールドされている。
【００２９】
コントローラ２７は、ブラシレスモータ２３を制御する。このコントローラ２７は、ブラシレスモータ２３と同じ高さ位置でハウジング１２の内部に配置されている。このコントローラケース２７１は、吸引ファン２５により発生した風の風路中に配置されている。このため、コントローラ２７には風が当たって冷却されるものとなっている。ブラシレスモータ２３とコントローラ２７とは、図示符号２９の電源経路にて接続されている。電源経路２９は、リード線等により構成されている。なお、図示例のコントローラ２７の配置構成は、左側領域に設定されるものとなっているが、右側領域に設定されるものとすると電源経路２９を短くできる点で有利である。また、外部コード５１は、２つの螺子部材３２によって中間介装部３３に固定されている。これによって、外部コード５１は、中間介装部３３に強固に固定されて、強い引っ張り荷重を受けても抜け難いものとなっている。
【００３０】
ハウジング１２の下部の中央には、左右の範囲を区分けするように中間介装部３３が設けられている。この中間介装部３３の左右それぞれ両隣には、バッテリ装着部３５が並列して設けられている。すなわち、中間介装部３３の右隣には右バッテリ装着部３５１が設けられており、中間介装部３３の左隣には左バッテリ装着部３５２が設けられている。右バッテリ装着部３５１と左バッテリ装着部３５２とは、中間介装部３３を境界にして左右対称に設けられている。右バッテリ装着部３５１と左バッテリ装着部３５２とは、互いに同一のバッテリ装着部３５で構成されている。バッテリ装着部３５（３５１，３５２）は、電動工具用バッテリ９０が着脱可能にされている。バッテリ装着部３５に装着される電動工具用バッテリ９０は、例えばインパクトドライバ、マルノコ、グラインダ等の電動工具用のバッテリとして広く利用されるバッテリである。なお、バッテリ装着部３５は、本発明に係るバッテリ保持部に相当する。
【００３１】
電動工具用バッテリ９０はスライド装着式のバッテリであるゆえ、バッテリ装着部３５もスライド装着式に構成される。このため、バッテリ装着部３５には、スライドガイド部３６と、スライド接続端子３７と、係止用雌フック部３８とが設けられている。スライドガイド部３６は電動工具用バッテリ９０のスライドガイド部９１に対応するものである。スライド接続端子３７は電動工具用バッテリ９０のスライド接続端子（図示省略）に対応するものである。係止用雌フック部３８は電動工具用バッテリ９０の雄フック部９３に対応するものである。なお、電動工具用バッテリ９０を装着する場合は、バッテリ装着部３５に対して正面から背面へ電動工具用バッテリ９０をスライドさせる。また、電動工具用バッテリ９０を取り外す場合は、雄フック部９３の係止を解除しながら、背面から正面へ電動工具用バッテリ９０をスライドさせる。
【００３２】
バッテリ装着部３５（３５１，３５２）に装着された電動工具用バッテリ９０の下面９５は、中間介装部３３の下面３９と略面一となるように設定されている。このように設定される下面３９，９５により、集塵機本体１１は、立てられた状態で面支持を受けて置いておくことができる。ちなみに、中間介装部３３は、右バッテリ装着部３５１と左バッテリ装着部３５２との間に挟み込まれるように、ハウジング１２の中央下部に設けられている。中間介装部３３は、略矩形の外形を有してハウジング１２に連接されている。この中間介装部３３の下部には、凹溝３４が設けられている。この凹溝３４には、後に説明する操作部５０の外部コード５１が引き出されている。
【００３３】
次に、本発明に係るホース部に相当する連結ホース部４０を説明する。なお、図１４は連結ホース部４０の左側面図であり、図１５はハンドルパイプ８０の前面斜視図である。また、図１６は、連結ノズル４３を外周ベルト６７１に掛止させた集塵機１０の正面図である。連結ホース部４０は、概略、接続ホース４２と、連結ノズル４３とを有する。また、連結ノズル４３は、概略、ハンドルパイプ８０と、伸縮パイプ４７と、吸込みノズル４８とを有する。接続ホース４２は、広く掃除機のホースとして利用される蛇腹形ホースである。接続ホース４２は、簡単に捻じ曲げ可能な柔らかい樹脂製で形成されている。図１および図１６に示すように、接続ホース４２の基端には基端接続部４２１が設けられている。この基端接続部４２１は、集塵機本体１１の吸気口１５に対して接続可能となっている。また、図１４に示すように、接続ホース４２の先端には先端接続部４２２が設けられている。この先端接続部４２２は、次に説明するハンドルパイプ８０のホース接続部８１に接続可能となっている。なお、ハンドルパイプ８０は、本発明に係るハンドルパイプ部に相当する。また、伸縮パイプ４７は広く利用される伸縮可能なパイプであり、吸込みノズル４８も広く利用される吸込みノズルである。
【００３４】
図２２はハンドルパイプ８０の側面図である。図２３はハンドルパイプ８０の上面図である。図２４はハンドルパイプ８０の吸引口側の正面図である。図２５は図２２における(XXV)-(XXV)断面矢視を示す断面図である。図２６は図２２における(XXVI)-(XXVI)断面矢視を示す断面図である。図２７は図２２における(XXVII)-(XXVII)断面矢視を示す断面図である。図２８は図２２における(XXVIII)-(XXVIII)断面矢視を示す断面図である。図２９は図２３における(XXIX)-(XXIX)断面矢視を示す断面図である。図３０は図２６における丸抜き部分(XXX)の拡大断面図である。図３１は図２９における丸抜き部分(XXXI)の拡大断面図である。図３２はハンドルパイプ８０を手Ｈで握った場合の一の例を示す側面図である。図３３はハンドルパイプ８０を手Ｈで握った場合の他の例を示す断面図である。
【００３５】
ハンドルパイプ８０は、接続ホース４２から連結ノズル４３との間に介在される部材であり、プラスチック樹脂製の湾曲するパイプ形に成形されている。ハンドルパイプ８０は、基端から先端に向かう中間範囲で滑らかに湾曲して形成される。すなわち、ハンドルパイプ８０は、基端側のホース接続部８１と、先端側のパイプ接続部８２と、その中間範囲の湾曲グリップ部８３とを有する。ホース接続部８１は、ハンドルパイプ８０の基端部分であり、接続ホース４２の先端接続部４２２が接続可能となっている。ホース接続部８１の基端は、図２９に示すように基側開口部８１１が設定されている。基側開口部８１１は、接続ホース４２の先端接続部４２２を差し込むことができるように、先端接続部４２２の外径よりも僅かに大きい内径の開口形状を有する。
【００３６】
基側開口部８１１の近くには嵌合孔８１３が設けられている。この嵌合孔８１３は、先端接続部４２２の外周に設けられる嵌合凸部４２３が嵌合させることができる。嵌合孔８１３に嵌合凸部４２３が嵌合されると、基側開口部８１１に対する先端接続部４２２の差込は保持される。嵌合孔８１３と嵌合凸部４２３とは左右両側に対をなし、嵌合凸部４２３は内部に押し込まれることにより弾性変形して嵌合孔８１３に対する嵌合を解除させることができる。なお、接続ホース４２の先端接続部４２２は、比較的に柔らかい材料で成形されているため、ハンドルパイプ８０や伸縮パイプ４７と比べて弾性変形し易い。なお、嵌合凸部４２３の嵌合孔８１３との嵌合が解除されると、基側開口部８１１から接続ホースと取り外すことができる。
【００３７】
パイプ接続部８２は、ハンドルパイプ８０の先端部分であり、伸縮パイプ４７あるいは吸込みノズル４８の基端接続部４７１が接続可能となっている。パイプ接続部８２の先端は、図２９に示すように先側開口部８２１が設定されている。先側開口部８２１は、伸縮パイプ４７の基端接続部４７１を差し込むことができるように、基端接続部４７１の外径よりも僅かに大きい内径の開口形状を有する。先側開口部８２１の内周径は、図３１に示すように、先側開口部８２１から湾曲グリップ部８３に向かうにしたがって小さくなるように設定されている。このため、この先側開口部８２１から伸縮パイプ４７の基端接続部４７１を差し込んでいくと、互いの間の摩擦力は次第に大きくなって、先側開口部８２１に対する基端接続部４７１の差込は保持される。なお、この伸縮パイプ４７の基端接続部４７１が差し込まれるパイプ接続部８２の外側には、後に説明する掛止フック８７の先端部８７２が配置される。なお、この先側開口部８２１が、ハンドルパイプ８０において吸引口側の端部となる。
【００３８】
湾曲グリップ部８３は、ホース接続部８１とパイプ接続部８２との中間範囲に設けられ、ホース接続部８１とパイプ接続部８２と一体に成形されている。湾曲グリップ部８３は、先端接続部４２２や基端接続部４７１を差込可能とするような直線的な形状とは相違し、滑らかな湾曲した形状にて成形されている。湾曲グリップ部８３は、ユーザの手で握られる主要なグリップ部分として機能する。つまり、多くのユーザは、この湾曲グリップ部８３を手で握り、床面を吸塵する吸込みノズル４８の向き変えるようにハンドリングしている。このため、湾曲グリップ部８３を含むハンドルパイプ８０は、ユーザのハンドリングのし易さが高められる形状が選択されている。すなわち、先側開口部８２１の開口形状および外周形状は、図２４および図２８に示すような断面円環形となっているのに対し、湾曲グリップ部８３の外周形状は、図２５〜図２７に示すような変形した断面環形状が選択されている。
【００３９】
すなわち、湾曲グリップ部８３の環形状は、上側の円弧緩部８３１と、下側の円弧急部８３３と、左右両側の連接部８３５，８３７と、を連接させて形成されている。上側の円弧緩部８３１は、扁平に近くなるほど円弧形状が緩くされて形成されている。これに対し、下側の円弧急部８３３は、中央部分を下側に突き出させるように円弧形状がきつくされて形成されている。この円弧緩部８３１と円弧急部８３３とを連接させる左右両側の連接部８３５，８３７は僅かな円弧形を有して形成されている。つまり、上側の円弧緩部８３１は、ユーザが湾曲グリップ部８３を握った場合に、親指と人差し指との間の股部分（図３２における符号Ｈ６）や掌が当たり易くなっている。この上側の円弧緩部８３１は、手が痛くならないように緩やかな曲面をなしている。
【００４０】
これに対し、下側の円弧急部８３３には、ユーザが湾曲グリップ部８３を握った場合に人差し指や中指などの指が架かり易くなっている。この下側の円弧急部８３３は、掴み易いように鋭く曲げられた曲面をなしている。また、左右両側の連接部８３５，８３７は、上下の円弧緩部８３１と円弧急部８３３とを連接する。なお、この円弧緩部８３１が設定される上側が本発明に係る湾曲の外周側部分となり、この円弧急部８３３が設定される下側が本発明に係る湾曲の内周側部分となる。つまり、湾曲グリップ部８３の上下方向は湾曲径方向と一致しており、湾曲グリップ部８３の左右方向は湾曲径方向と直交する方向と一致している。また、これら円弧緩部８３１、円弧急部８３３、左右両側の連接部８３５，８３７は、連接することにより湾曲グリップ部８３の周面をなす。
【００４１】
左右両側の連接部８３５，８３７（両周面）には、平面部８４が設けられている。平面部８４は、図３３に示すように、ユーザが湾曲グリップ部８３を握った場合に指先などの指の腹を当てることが可能な略平らな面として形成される。平面部８４は、左側連接部８３５と右側連接部８３７の双方で対をなすように設けられている。平面部８４は、図２２に示すように、湾曲グリップ部８３が設定される範囲に一致した範囲で湾曲グリップ部８３の基側から先側へ延びて設けられている。この平面部８４は、上下幅が５ｍｍ程度で湾曲グリップ部８３の湾曲形状と一致するように延びている。この平面部８４の下端には、僅かに外側に張り出した張出し部８５が設けられている。この張出し部８５は、平面部８４が延びるのと同様、湾曲グリップ部８３の湾曲形状と一致するように平面部８４の下端縁として延びている。このため、平面部８４と張出し部８５との間には段差８４１が設定され、ユーザにとって平面部８４がより把握され易いものとなっている。このように平面部８４が把握され易いと、湾曲グリップ部８３の向きや湾曲グリップ部８３の握り易さを向上させる。
【００４２】
湾曲グリップ部８３は、図２５〜図２７の断面でも分かるように湾曲する位置のどこにおいても略同一の断面形状に成形されている。つまり、湾曲グリップ部８３は、内周形状および外周形状が維持されて湾曲している。この湾曲グリップ部８３の下側には、本発明に係る拡径部に相当する指置部８６と突出部８８が設けられている。この指置部８６と突出部８８は、湾曲グリップ部８３の外周形状と比較して外周面８０１の外径が拡げられて形成される。すなわち、指置部８６は、湾曲グリップ部８３の外周形状と比較して、更に上側に突き出された外形を有する。この指置部８６の突出しは、先側開口部８２１に向かう方向へ滑らかに傾斜している。このため、この指置部８６の後側面８６１は、ハンドルパイプ８０の外周面８０１と滑らかに連なる形状となっている。この後側面８６１は、図３２に示すように、ユーザの湾曲グリップ部８３の握り方によって親指が置かれる部分となっている。
【００４３】
この指置部８６の後側面８６１は、図２４に示すように先側開口部８２１の外径と略一致する左右幅を有して形成されています。この指置部８６には、先側開口部８２１に向かって延びる掛止フック８７が接続されている。つまり、指置部８６は掛止フック８７の基端部分を兼ねている。掛止フック８７は、先側開口部８２１へ向けた下向きでハンドルパイプ８０の外周面８０１に設けられている。つまり、掛止フック８７は、上から下に向けて外周ベルト６７１等に引っ掛け可能に形成されている。この掛止フック８７は、指置部８６を基端部分として先側開口部８２１に及ぶ範囲まで延びている。突出部８８も、湾曲グリップ部８３の外周形状と比較して、更に下側に突き出された外形を有して形成されている。この突出部８８の突出し位置は、図２９に示すように後側面８６１よりも僅かに前側に位置している。また、突出部８８の突出し量は、ユーザが握った場合に僅かな指掛かり感触が生じる程度となっている。
【００４４】
湾曲グリップ部８３の上側にも、上記した突出部８８と同様の上側突出部８９が設けられている。この上側突出部８９も、湾曲グリップ部８３の外周形状と比較して、更に上側に突き出された外形を有して形成されている。この上側突出部８９の突出し位置は、図２９に示すようにホース接続部８１の前側に位置している。また、上側突出部８９の突出し量は、上記した突出部８８と同様に、ユーザが握った場合に僅かな指掛かり感触が生じる程度となっている。
【００４５】
拡径部をなす掛止フック８７（指置部８６）と突出部８８とは、湾曲グリップ部８３の下側となる先側開口部８２１の配置側に設けられている。掛止フック８７は、基端部分をなす指置部８６から、中間部８７１および先端部８７２へと延ばされている。中間部８７１は、ハンドルパイプ８０の外周面８０１に近づくように傾斜している。先端部８７２は、ハンドルパイプ８０の外周面８０１から遠のく端部となっている。この掛止フック８７は、基端部分の指置部８６が固定された支点として先端部８７２側を弾性変形可能となっている。掛止フック８７は、先端部８７２側の弾性変形により図１６に示すように右腰ベルト６７の外周ベルト６７１に掛け止めできるようになっている。なお、先端部８７２近くの掛止フック８７と対面する先側開口部８２１の外周面８０１には、留め用張出し部８０５が設けられている。この留め用張出し部８０５は、掛止フック８７を右腰ベルト６７の外周ベルト６７１などに掛け止めた場合に、この掛け止めた留まりを良好に保持する。ちなみに、この掛止フック８７は、本発明に係る引っ掛け可能なフックに相当する。
【００４６】
図３２および図３３では、手Ｈによる握り方の例を図示している。図示する符号Ｈ１は親指であり、符号Ｈ２は人差し指であり、符号Ｈ３は中指であり、符号Ｈ４は薬指であり、符号Ｈ５は小指である。また、符号Ｈ６は親指と人差し指との間の股部分であり、符号Ｈ７は各指の腹であり、符号Ｈ８は掌である。なお、図３２で図示される手Ｈは、湾曲グリップ部８３の中間位置でハンドルパイプ８０を握っている。しかしながら、そのほかの握り方としては、湾曲グリップ部８３の前側の突出部８８に各指Ｈ２〜Ｈ５が架かるように握ってもよく、逆に湾曲グリップ部８３の後側の上側突出部８９に掌Ｈ８が架かるように握ってもよいものとされる。両者の握り方は、いずれも手Ｈに突出部８８あるいは上側突出部８９が当たるので、ユーザはその感触により把持し易くなっている。
【００４７】
操作部５０を説明する。この操作部５０は、本発明に係る照明装置に相当する。図１７〜図２１は操作部５０を図示している。図１７は上面斜視図であり、図１８は上面図であり、図１９は左側面図である。図２０は下面図であり、図２１は前面図である。操作部５０は、概略、外部コード５１と、操作部本体５３とを有する。ちなみに、操作部本体５３は、本発明に係るライトに相当する。外部コード５１は、上記した中間介装部３３の凹溝３４から引き出されて、操作部本体５３へと繋がっている。このため、操作部本体５３は、外部コード５１を通じてコントローラ２７に操作入力が可能となっている。ハウジング５４は、下側ハウジング５４１と上側ハウジング５４２とを２つの螺子部材５４５，５４６で螺子止めすることにより合体させてなる。この螺子止めは、螺子止め点数を抑えるために、符号５４５の後右位置と符号５４６の前左位置との２箇所に設定されている。なお、外部コードは、本発明に係るコードに相当する。
【００４８】
ハウジング５４の外形は、手で握り易いように掌サイズの大きさでグリップ形の形状が選択されている。具体的には、ハウジング５４は、ユーザの掌の大きさに合った前後長の略箱形をなしている。ハウジング５４の左右両側には、僅かに凹まされる滑り止め部５５１が設けられている。この滑り止め部５５１は、前後方向で適宜に凸凹する形状を連続して設けて、ユーザが手で握った場合の滑りを抑えるようにしてある。また、ハウジング５４の下面５７０には、手で握り易くなるように面取部５５２が設けられている。この面取部５５２は、ハウジング５４の左右の角縁を面取りするように適宜に丸くされた形状に形成されている。
【００４９】
下面５７０の中央には、掛止フック５７が設けられている。この掛止フック５７も、図１に示すように左腰ベルト６８の外周ベルト６８１に掛け止めできるようになっている。具体的には、掛止フック５７は、ハウジング５４の下面５７０の後端と連接して支持されている。このように後端で支持される掛止フック５７は前側に延びるように形成されている。このように前側に延びる掛止フック５７は、中間部５７１がハウジング５４の下面５７０に近づくように湾曲しており、先端部５７２が下面５７０から遠のくように湾曲している。ところで、この掛止フック５７の内側には、傾斜ガイド部５８が設けられている。傾斜ガイド部５８は、下面５７０と掛止フック５７との間に設定されている。この傾斜ガイド部５８は、下面５７０の中央から後端に向けて設定されている。
【００５０】
傾斜ガイド部５８は、下面５７０から掛止フック５７に向けて段差形に突出することにより形成されている。傾斜ガイド部５８の段差形は、後から前に向かうにしたがって右左両側から中央に向かうように傾斜するガイド側面５８１，５８２が設けられている。具体的には、右ガイド側面５８１は、後から前に向かうにしたがって右から中央に向かうように傾斜している。左ガイド側面５８２は、後から前に向かうにしたがって左から中央に向かうように傾斜している。これら右ガイド側面５８１と左ガイド側面５８２との両者は、前に向かうにしたがって互いに中央に近づくものとなっており、左右中間の位置となる中間頂点５８３で互いに連なるものとなっている。
【００５１】
これら右左のガイド側面５８１，５８２は、掛止フック５７を利用して操作部５０を後に説明する外周ベルト（例えば符号６７１，６８１）に掛止させた場合に、外周ベルト６７１，６８１のベルト縁（例えば符号６７２，６８２）に当たるように設定されている。このようにガイド側面５８１，５８２がベルト縁（例えば符号６７２，６８２）に当たると、腰ベルト６７，６８の延びる方向に対して傾いた前斜め下方向に、ハウジング５４の前端を向けるようにガイドすることとなる。具体的に言えば、図１に示す操作部５０は、左ガイド側面５８２が左側の外周ベルト６８１のベルト縁６８２に当たることにより、左腰ベルト６８が延びる方向に対して前斜め下方向にハウジング５４の前端を向かせている。つまり、次に説明する操作部５０の前端のＬＥＤ（light emitting diode）５９１の照射方向を、前斜め下方向に指向させるようにガイドさせることができる。
【００５２】
このように設定されるハウジング５４の内部には不図示の基板が内装されている。この基板は、ユーザの操作入力に応じてライト照射のオンオフ制御をしたり、ユーザの操作入力に応じて集塵機本体１１のオンオフの操作入力をしたりする。この基板は、ハウジング５４の後部から延ばされる外部コード５１と接続される。また、基板は、上面に配置される操作面５６から操作入力される。また、基板の前部には、図２１に示すように、２つのＬＥＤ５９１が設けられている。このＬＥＤ５９１は、ハウジング５４の前部に設定される透過窓５９２を通じて外部へ照射する。操作面５６は、前後に３つのボタンが並べられている。
【００５３】
操作面５６の前から１番目のボタンには、集塵機本体１１のオンボタン５６１が設定されている。このオンボタン５６１を押下すると、外部コード５１を通じて基板から集塵機本体１１のコントローラ２７にオン入力がされる。オンボタン５６１は、本発明に係るブラシレスモータ２３を駆動させるためのスイッチに相当する。オン入力がされたコントローラ２７は、ブラシレスモータ２３に電力を供給してブラシレスモータ２３を駆動させる。操作面５６の前から２番目のボタンには、集塵機本体１１のオフボタン５６２が設定されている。このオフボタン５６２を押下すると、外部コード５１を通じて基板から集塵機本体１１のコントローラ２７にオフ入力がされる。オフ入力がされたコントローラ２７は、ブラシレスモータ２３の電力供給を止めてブラシレスモータ２３を駆動停止させる。操作面５６の前から３番目のボタンには、ライトオンオフボタン５６３が設定されている。ライトオンオフボタン５６３は、押下するたびにＬＥＤ５９１の点灯のオンオフを切り替える。ちなみに、ＬＥＤ５９１を点灯させる電力は、外部コード５１を通じて集塵機本体１１から供給される。なお、ハウジング５４の内部に適宜の電池を収容し、この収容された電池からＬＥＤ５９１を点灯させる電力が供給されるものであってもよい。
【００５４】
ベルト具６０を説明する。このベルト具６０は、リュックサックなどに広く利用されるベルト具（背中パッド、右肩ベルト、左肩ベルト、腰ベルト、胸ベルト）と同様に構成されるものである。つまり、ベルト具６０は、集塵機本体１１を背負うために集塵機本体１１に取り付けられるベルトとして構成される。ベルト具６０は、概略、背中パッド６１と、右肩ベルト６３と、左肩ベルト６５と、腰ベルト６７，６８と、胸ベルト７１とを有する。背中パッド６１は、ベルト具６０のうち集塵機本体１１と連結される部分である。背中パッド６１の集塵機本体１１側の面は、図９に示すように集塵機本体１１に対して６箇所で螺子締結されている。図９の図示符号６２は、背中パッド６１を螺子締結するための雄螺子である。この背中パッド６１は、ユーザが集塵機本体１１を背負った場合にユーザの背中に当たる。背中パッド６１は、内部にクッション材（不図示）が内装される二重構造に形成される。次に説明する各種のベルトと一体に繋がっている。また、図示符号３１は、適宜のベルト留めするためのベルトループである。
【００５５】
右肩ベルト６３はユーザの右肩に掛けられるベルトであり、左肩ベルト６５はユーザの左肩に掛けられるベルトである。これら右左一対の肩ベルト６３，６５は、一端側が背中パッド６１と繋がっており、ユーザの両肩に掛けられて集塵機本体１１を背負った状態とする。具体的には、右肩ベルト６３および左肩ベルト６５も、適宜のクッション材を内装しながら形成され、一端側が背中パッド６１の上端部分と繋がっている。また、右肩ベルト６３および左肩ベルト６５の他端側は、伸縮ベルト部６４，６６を介して腰ベルト６７，６８と繋がっている。伸縮ベルト部６４，６６は、アジャスタ７２により背中パッド６１と腰ベルト６７，６８との間のベルト長を調節することができる。なお、右肩ベルト６３と左肩ベルト６５とには、これらの肩ベルト６３，６５が両肩から外れてしまうのを規制するための胸ベルト７１が取り付けられている。胸ベルト７１は、肩ベルト６３，６５に付け外し可能となっていると共に、ベルト長を調節するアジャスタが設けられている。
【００５６】
右腰ベルト６７はユーザの右腰周りに掛けられるベルトであり、背中パッド６１の右下部と繋がっている。左腰ベルト６８はユーザの左腰周りに掛けられるベルトであり、背中パッド６１の左下部と繋がっている。右腰ベルト６７と左腰ベルト６８とは、バックル６９を介して互いを締結させることができる。このバックル６９は、ベルト長を調節するアジャスタとしての機能も有しており、締結させた右腰ベルト６７と左腰ベルト６８との長さを調節することができる。右腰ベルト６７と左腰ベルト６８とは、適宜のクッション材を内装しながら形成される。このようなベルト具６０には、適宜箇所にＤリング７３が取り付けられている。このＤリング７３は、適宜のカラビナやフック等を取付け可能とするものである。また、肩ベルト６３，６５の外周には外周ベルト６３１，６５１が設けられており、腰ベルト６７，６８の外周にも外周ベルト６７１，６８１が設けられている。この外周ベルト６３１，６５１，６７１，６８１には、上記した掛止フック５７を掛止させておくことができる。
【００５７】
以上のように構成された集塵機１０によれば、集塵機本体１１にハイパワーのブラシレスモータ２３を搭載することができる。ここで、集塵機本体１１は、ベルト具６０により、ユーザＵの両肩にかけて背負うことができる。つまり、ユーザＵは、集塵機本体１１を背負って持ち運びながら掃除作業をすることができる。このようにして、上記した集塵機１０によれば、ハイパワーモータを選択してハイパワーで吸引する掃除を可能としながら、ユーザＵは重量がある構成を手で持つこと無く清掃作業を可能とする。また、上記した集塵機１０によれば、操作部５０により暗いところで明るく照らし出すことができる。これによって、暗いところの清掃も可能となる上、用途によっては様々な照射装置としても利用可能である。
【００５８】
また、上記した集塵機１０によれば、バッテリ装着部３５はハウジング１２の下方に配置されているので、保持される電動工具用バッテリ９０を下方にして全体重心位置を下方にすることができる。これによって、ユーザＵが背負っている際の安定感を高めることができる。また、上記した集塵機１０によれば、排気スリット１９はハウジング１２の下部に設けられて排気風を下方に指向させるので、ユーザＵの顔に向けて排気風がいかなくなる。これによって、ユーザＵに対する排気風の悪影響を抑えることができる。上記した集塵機１０によれば、外部コード５１はハウジング１２の下部に接続されているので、外部コード５１が重力方向で垂れた場合に、ハウジング１２に絡まないものとなる。これによって、外部コード５１が邪魔になってしまうのを抑えることができる。
【００５９】
また、上記した集塵機１０によれば、電動工具用バッテリ９０を装着するに際し、背負ったユーザＵの遠く（正面側）から近く（背面側）に向けてスライドさせることとなる。これによって、ユーザＵが背負ったままでの電動工具用バッテリ９０の装着し易さを確保することができる。また、上記した集塵機１０によれば、また、上記した集塵機１０によれば、塵埃を含めて外気を吸気可能とする吸気口１５は、ハウジング１２の上部に設定されている。ここで、ブラシレスモータ２３を制御するコントローラ２７は、ブラシレスモータ２３と同じ高さ位置でハウジング１２の内部に並んで配置されているので、これらのブラシレスモータ２３とコントローラ２７とがなす上下方向の長さを抑えることができる。つまり、集塵機本体１１の小型化を図ることができる。
【００６０】
上記したハンドルパイプ８０によれば、掛止フック８７により連結ホース部４０を引っ掛けて固定しておくことができる。これによって、連結ホース部４０を手で持ちたくない場合や不使用時保管の場合などに、連結ホース部４０を固定して配置させることができて、ユーザにとって便利となる。また、上記したハンドルパイプ８０によれば、掛止フック８７は先側開口部８２１へ向けた下向きとさせるように引っ掛けることができるので、汚れ易い吸込みノズル４８（吸引口）側を下向きに配置させておくことができて、衛生面で有利となる。
【００６１】
また、上記したハンドルパイプ８０によれば、湾曲グリップ部８３は湾曲するパイプ形に形成されているので、この湾曲によりユーザに握り易さを確保することができる。また、掛止フック８７は外周面８０１の上側かつ先側開口部８２１側に設けられているので、例えばユーザの右腰ベルト６７の外周ベルト６７１に引っ掛けた場合に、吸込みノズル４８（吸引口）側を下向きにさせながら接続ホース４２を邪魔とならないように体から離すよう配置させておくことができる。
【００６２】
また、上記したハンドルパイプ８０によれば、ハンドルパイプ８０の外周面８０１には、外径が拡げられた掛止フック８７（指置部８６）と突出部８８が設けられているので、ユーザが手Ｈで握った場合に掛止フック８７（指置部８６）と突出部８８にて指を止めることができる。これによって、ユーザにとってハンドルパイプ８０が握り易くなる。また、上記したハンドルパイプ８０によれば、掛止フック８７（指置部８６）と突出部８８は先側開口部８２１側に設けられているので、握って先側開口部８２１側の向きを変える際の掌Ｈ８や指Ｈ１の止まりが良くなり、掃除する際の操作性を高めることができる。
【００６３】
また、上記したハンドルパイプ８０によれば、掛止フック８７（指置部８６）と突出部８８の外径を拡がり部分が掌Ｈ８位置と人差し指Ｈ２位置で当たるので、手Ｈで握った際の感触を高める。また、上記したハンドルパイプ８０によれば、ユーザは平面部８４に指Ｈ１，Ｈ２の腹Ｈ７を当てて持つことができ、様々なユーザの握り方にも対応した握り易さを確保することができる。また、上記したハンドルパイプ８０によれば、ユーザが湾曲の上側に掌Ｈ８を位置させて握った場合に、各指Ｈ２〜Ｈ５の止まりが良くなる。
【００６４】
なお、本発明に係る集塵機にあっては、上記した実施の形態に限定されるものではなく、次のように適宜個所を変更して構成するようにしてもよい。例えば、連結ホース部４０の構成としては、上記した態様に限定されることなく、掃除現場に応じて適宜の構成を採用することができる。また、ベルト具６０の構成としても、ユーザの身体に固定可能にする構成であれば、適宜のベルトを加除して構成されるものであってよい。
【符号の説明】
【００６５】
１０  集塵機
１１  集塵機本体（背負い装置）
１２  ハウジング
１２１  背面側ハウジング
１２２  正面側ハウジング
１３  開閉カバー
１３１  下側縁
１３２  上側縁
１４  係止フック構造
１４１  係止フック
１４２  雌フック部
１５  吸気口
１５１  連結フランジ
１５２  凸部
１６  開口部
１６１  パッキン
１６２  フィルタ
１７  正面凹形部
１８１  右凹形部
１８２  左凹形部
１９  排気スリット（排気口）
１９１  第１排気スリット
１９２  第２排気スリット
２１  駆動部
２３  ブラシレスモータ
２３１  モータケース
２３２，２３３  螺子止め部
２３４  螺子
２４  回転駆動軸
２５  吸引ファン
２５１  ファンガイド
２５２  第１ゴム部材
２５３  第２ゴム部材
２７  コントローラ
２７１  コントローラケース
２７２  基板
２７３  コンデンサ
２８１  第１防音部材
２８２  第２防音部材
２８３  第１フィルタ部材
２８４  第２フィルタ部材
２９  電源経路
３０  集塵室
３１  ベルトループ
３２  螺子部材
３３  中間介装部
３４  凹溝
３５  バッテリ装着部（バッテリ保持部）
３５１  右バッテリ装着部
３５２  左バッテリ装着部
３６  スライドガイド部
３７  スライド接続端子
３８  係止用雌フック部
３９  下面
４０  連結ホース部（ホース部）
４２  接続ホース
４２１  基端接続部
４２２  先端接続部
４２３  嵌合凸部
４３  連結ノズル
４７  伸縮パイプ
４７１  基端接続部
４８  吸込みノズル
５０  操作部（照明装置）
５１  外部コード（コード）
５３  操作部本体（ライト）
５４  ハウジング
５４１  下側ハウジング
５４２  上側ハウジング
５４５，５４６  螺子部材
５５１  滑り止め部
５５２  面取部
５６  操作面
５６１  オンボタン
５６２  オフボタン
５６３  ライトオンオフボタン
５７  掛止フック
５７０  下面
５７１  中間部
５７２  先端部
５８  傾斜ガイド部
５８１  右ガイド側面
５８２  左ガイド側面
５８３  中間頂点
５９１  ＬＥＤ（ライト）
５９２  透過窓
６０  ベルト具
６１  背中パッド
６３  右肩ベルト
６５  左肩ベルト
６４，６６  伸縮ベルト部
６７  右腰ベルト
６８  左腰ベルト
６３１，６５１，６７１，６８１  外周ベルト
６８２  ベルト縁
６９  バックル
７１  胸ベルト
７２  アジャスタ
７３  Ｄリング
８０  ハンドルパイプ（ハンドルパイプ部）
８０１  外周面
８０５  留め用張出し部
８１  ホース接続部
８１１  基側開口部
８１３  嵌合孔
８２  パイプ接続部
８２１  先側開口部
８３  湾曲グリップ部
８３１  円弧緩部
８３３  円弧急部
８３５  左側連接部
８３７  右側連接部
８４  平面部
８４１  段差
８５  張出し部
８６  指置部（拡径部）
８６１  後側面
８７  掛止フック（フック）
８７１  中間部
８７２  先端部
８８  突出部（拡径部）
８９  上側突出部
９０  電動工具用バッテリ
９１  スライドガイド部
９３  雄フック部
９５  下面
Ｕ  ユーザ
Ｈ  手
【図１】
2017018567.tif 000003
【図２】
2017018567.tif 000004
【図３】
2017018567.tif 000005
【図４】
2017018567.tif 000006
【図５】
2017018567.tif 000007
【図６】
2017018567.tif 000008
【図７】
2017018567.tif 000009
【図８】
2017018567.tif 000010
【図９】
2017018567.tif 000011
【図１０】
2017018567.tif 000012
【図１１】
2017018567.tif 000013
【図１２】
2017018567.tif 000014
【図１３】
2017018567.tif 000015
【図１４】
2017018567.tif 000016
【図１５】
2017018567.tif 000017
【図１６】
2017018567.tif 000018
【図１７】
2017018567.tif 000019
【図１８】
2017018567.tif 000020
【図１９】
2017018567.tif 000021
【図２０】
2017018567.tif 000022
【図２１】
2017018567.tif 000023
【図２２】
2017018567.tif 000024
【図２３】
2017018567.tif 000025
【図２４】
2017018567.tif 000026
【図２５】
2017018567.tif 000027
【図２６】
2017018567.tif 000028
【図２７】
2017018567.tif 000029
【図２８】
2017018567.tif 000030
【図２９】
2017018567.tif 000031
【図３０】
2017018567.tif 000032
【図３１】
2017018567.tif 000033
【図３２】
2017018567.tif 000034
【図３３】
2017018567.tif 000035